(57)【要約】本発明はＮ個（Ｎ＞１）のビット列を担持する二次元記憶媒体に適用され、２個の隣接するメタトラックはガードバンドビット列と呼ばれる少なくとも１個のビット列のガードバンドにより分離されている。本発明は、ガードバンドビット列に非コンテンツ情報を記憶するために提供される。非コンテンツ情報はクロックデータ及び／又は制御データである。
2007515032.tif 000002
【特許請求の範囲】
【請求項１】
コンテンツ情報を記憶するＮ個（Ｎ＞１）のビット列のメタトラックを担持する記憶媒体であって、２つの隣接するメタトラックは、ガードバンドビット列と呼ばれる少なくとも１つのビット列のガードバンドにより分離され、少なくとも１つのガードバンドビット列は非コンテンツ情報を記憶している、ことを特徴とする記憶媒体。
【請求項２】
請求項１に記載の記憶媒体であって、前記非コンテンツ情報は、前記記憶媒体から前記コンテンツ情報を読み出すために用いられるようにクロックデータを有する、ことを特徴とする記憶媒体。
【請求項３】
請求項１又は２に記載の記憶媒体であって、前記非コンテンツ情報は、前記記憶媒体からコンテンツ情報を読み出し且つ前記記憶媒体にコンテンツ情報を書き込むために用いられるように制御データを有する、ことを特徴とする記憶媒体。
【請求項４】
Ｎ個（Ｎ＞１）のビット列のメタトラックを担持する記憶媒体を読み出すための装置であって、２つの隣接するメタトラックは、ガードバンドビット列と呼ばれる少なくとも１つのビット列のガードバンドにより分離され、前記装置は：
メタトラック及び前記メタトラックに隣接するガードバンドビット列を並列に読み出すように、少なくともＮ個の光スポットを生成し、少なくともＮ個の反射光スポットを受け、そして前記反射光スポットの１つに各々関連付けられる少なくともＮ個のアナログ信号を生成する光学ユニット；並びに
前記メタトラックにおいて記憶されているコンテンツ情報及び前記隣接するガードバンドビット列において記憶されている非コンテンツ情報を再生するようにＮ個の前記アナログ信号を処理する手段；
を有することを特徴とする装置。
【請求項５】
請求項４に記載の装置であって、前記非コンテンツ情報はクロックデータを有し、前記処理手段は：
少なくともＮ個の前記アナログ信号を受けるため及び少なくともＮ個のディジタル信号を生成するためのアナログ／ディジタル変換器；
前記ディジタル信号が前記非コンテンツ情報を担持するように前記ガードバンドビット列により少なくとも一部が反射された光スポットに関連付けられる前記ディジタル信号の１つを受けるため及びクロック補正信号を生成するための位相同期ループ回路；
Ｎ個の前記ディジタル信号を受けるため及びＮ個の補正ディジタル信号を生成するために、前記クロック補正信号により制御されるサンプルレート変換器；並びに
前記Ｎ個の補正ディジタル信号を受けるため及び前記コンテンツ情報に対応するＮ個のビットシーケンスを供給するための第１検出回路；
を有する、ことを特徴とする装置。
【請求項６】
請求項５に記載の装置であって、前記非コンテンツ情報は制御データを有し、前記処理手段は、前記クロック補正信号を受けるため及び前記制御データに対応するビットのシーケンスをもたらすために第２検出回路を更に有する、ことを特徴とする装置。
【請求項７】
請求項５又は６に記載の装置であって、前記光学ユニットは、前記ガードバンドビット列を読み出すようになっている特定の光スポットを生成するためにデザインされ、前記位相同期ループ回路は前記特定の光スポットからもたらされる前記ディジタル信号を受ける、ことを特徴とする装置。
【請求項８】
請求項４に記載の装置であって、前記非コンテンツ情報は、クロックデータを除外して、制御データを有し、前記処理手段は：
少なくともＮ個の前記アナログ信号を受けるため及び少なくともＮ個のディジタル信号を生成するためのアナログ／ディジタル変換器；
前記少なくともＮ個のディジタル信号を受けるため及び少なくともＮ個の補正ディジタル信号を生成するためのサンプルレート変換器；
検出器回路であって、
ａ）Ｎ個の補正ディジタル信号を受けるため及び基準信号及び前記コンテンツ情報に対応するＮ個のビットシーケンスをもたらすための手段と、
ｂ）補正ディジタル信号が前記補正データを担持するように前記ガードバンドビット列により少なくとも一部を反射される光スポットに関連付けられる、１つの前記補正ディジタル信号を受けるため、及び前記制御データに対応するビットシーケンスをもたらすための手段と、
を有する、検出回路；並びに
−  前記基準信号及び前記Ｎ個の補正ディジタル信号の少なくとも一部を受けるため、及び前記サンプルレート変換器を制御するために用いられる時間補正信号を生成するための時間再生回路；
を有する、ことを特徴とする装置。
【発明の詳細な説明】
【技術分野】
【０００１】
本発明は、Ｎ個（Ｎ＞１）のビット列のメタトラックを担持する記憶媒体であって、２つの隣接するメタトラックは、バードバンドビット列と呼ばれる少なくとも１個のビット列のガードバンドにより分離されている、記憶媒体に関する。
【０００２】
本発明は又、Ｎ個（Ｎ＞１）のビット列のメタトラックを担持する記憶媒体を読み出すための装置であって、２個の隣接するメタトラックは、バードバンドビット列と呼ばれる少なくとも１個のビット列のガードバンドにより分離されている、記憶媒体に関する。
【０００３】
本発明は、二次元光記憶装置、例えば、二次元ブルーレイディスクに適用される。
【背景技術】
【０００４】
二次元（２Ｄ）光記憶装置の原理については、文献“Ｔｗｏ−Ｄｉｍｅｎｓｉｏｎａｌ  Ｏｐｔｉｃａｌ  Ｓｔｏｒａｇｅ”，ｂｙ  Ｍ．Ｊ．Ｃｏｅｎｅ，Ｏｐｔｉｃａｌ  Ｄａｔａ  Ｓｔｏｒａｇｅ，Ｍａｙ  １１−１４，２００３，Ｈｙａｔｔ  Ｒｅｇｅｎｃｙ  Ｖａｎｃｏｕｖｅｒ，ＢＣ  Ｃａｎａｄａに記載されている。その文献に記載されているように、２Ｄディスクのフォーマットは、２Ｄ最密格子が結果として得られる方法で、径方向に互いにアライメントされる複数の平行なビット列を有する幅広の螺旋に基づいている。その格子は種々の形状を有することが可能である。しかしながら、六方格子はより密な充填率を与える。１つの空のビット列のガードバンドは幅広の螺旋の隣接するターンの間に位置している。
【０００５】
ディスクにおいて書き込まれたチャネルビットはランドタイプ（ビット“０”）又はピットタイプ（ビット“１”）である。格子における物理的ビットセルは各々のビットと関連付けられている。ランドビットのためのビットセルはランドレベルで一様な平らな領域である。ピットビットは、ビットセルにおいて中央に形成されるピット穴をマスタリングすることにより実現される。
【０００６】
並列読み出しは、幅広の螺旋の全幅をスキャンするレーザスポットのアレイを生成する回折格子を通過する単一のレーザ源を用いることにより実現される。各々のレーザスポットからの光はディスクにおける２Ｄパターンにより回折され、複数の高周波数信号波形を生成する複数に分割された光検出器で検出される。そのような波形の集合は２Ｄ信号処理のための入力として用いられる。
【０００７】
光検出器から検出されるビットへの信号処理経路は、アナログ／ディジタル変換、プレフィルタリング、信号アライメント、等価、サンプルレート変換及び最終的なビット検出を有する。本明細書の図２から理解できるように、サンプルレート変換器を制御するために必要なタイミング情報は幅広の螺旋により担持されるコンテンツデータから抽出される。
【非特許文献１】“Ｔｗｏ−Ｄｉｍｅｎｓｉｏｎａｌ  Ｏｐｔｉｃａｌ  Ｓｔｏｒａｇｅ”，ｂｙ  Ｍ．Ｊ．Ｃｏｅｎｅ，Ｏｐｔｉｃａｌ  Ｄａｔａ  Ｓｔｏｒａｇｅ，Ｍａｙ  １１−１４，２００３，Ｈｙａｔｔ  Ｒｅｇｅｎｃｙ  Ｖａｎｃｏｕｖｅｒ，ＢＣ  Ｃａｎａｄａ
【発明の開示】
【課題を解決するための手段】
【０００８】
本発明に従った記憶媒体については請求項１乃至３に記載されている。記憶媒体を読み出すための本発明に従った装置については請求項４乃至８に記載されている。
【０００９】
本発明に従って、非コンテンツ情報は、２つのメタトラック（幅広の螺旋の２つの３６０°ターンである）を分離するガードバンドに記憶される。この非コンテンツ情報は、記憶媒体からの読み出し動作／記憶媒体への書き込み動作を制御するために必要なクロックデータ及び／又は制御データを有する。例えば、制御データは、記憶媒体の回転速度を制御するためのスピード制御データ、記憶媒体においてセクタを規定するためのセクタマーク、コンテンツによるナビゲーションのためのアドレス情報、ディジタル権利管理情報等を有する。
【００１０】
好適には、ガードバンドにおいて担持される信号は比較的規則的に保たれる。クロックデータは規則的な高周波パターンである。ガードバンドにおいて担持される信号の規則性が損なわれないように及びメタトラックにより担持されるコンテンツデータからの制御データの識別を容易にするように、制御データは、好適には、低周波データである。クロックデータ及び制御データの両者がガードバンドにおいて記憶されるとき、クロックデータは制御データを用いて変調され、例えば、クロックデータは位相変調又は振幅変調される。
【００１１】
そのような記憶媒体を読み出すための本発明に従った装置は：
−  メタトラック及び前記メタトラックに隣接するガードバンドビット列を並列の状態で読み出すように、少なくともＮ個の光スポットを生成し、少なくともＮ個の反射される光スポットを受信しそして前記反射される光スポットの１つに各々関連付けられる少なくともＮ個のアナログ信号を生成するための光学ユニット；並びに
−  前記メタトラックに記憶されているコンテンツ情報及び前記隣接ガードバンドビット列において記憶されている非コンテンツ情報を再生するように、少なくともＮ個の前記アナログ信号を処理するための手段；
を有する。
【００１２】
光学ユニットにより生成される光スポットの数は本発明の実施に依存する。Ｎ個の光スポットのみが用いられる場合、ガードバンドにより担持される非コンテンツ情報はＮ番目の反射光スポット（一般に、読み出し光スポットと呼ばれる）からもたらされる。代替として、更なる光スポットがガードバンドビット列を読み出すために用いられる。デザインの簡易化のために、２つ以上の更なる光スポットを付加することは好ましい。そのような場合、Ｎ＋１個の必要な反射光スポット以上の反射光スポットは本発明の実施には必要ない。
【００１３】
処理手段の構造は、ガードバンドにおいて担持されている非コンテンツ情報の性質に依存する。
【００１４】
非コンテンツ情報がクロックデータを有するとき、処理手段は：
−  前記アナログ信号の少なくともＮ個を受信し、少なくともＮ個のディジタル信号を生成するためのアナログ／ディジタル変換器；
−  前記ディジタル信号は前記非コンテンツ情報を担持するような前記ガードバンドビット列により少なくとも一部が反射される光スポットに関連付けられる前記ディジタル信号の一を受信するため及びクロック補正信号を生成するための位相同期ループ回路；
−  前記ディジタル信号のＮ個を受信し且つＮ個の補正ディジタル信号を生成するために、前記クロック補正信号により制御されるサンプルレート変換器；並びに
−  前記Ｎ個の補正ディジタル信号を受信するため及び前記コンテンツ情報に対応するビットのＮ個のシーケンスをもたらすための第１検出回路；
を有する。
【００１５】
アナログ／ディジタル変換器は、アナログ／ディジタル変換器により生成されるディジタル信号がサンプルレート変換器により位相補正されるように、ローカルクロックにより制御される。この実施形態においては、サンプルレート変換器は、ガードバンドにおいて担持されているクロックデータから位相同期ループ回路により生成されるクロック補正信号により制御される。
【００１６】
ガードバンドにおけるクロックデータの周波数（本明細書において以下ではパイロット周波数を呼ぶ）はローカルクロック周波数に等しいことが可能である。しかしながら、これは必要ない。パイロット周波数がローカルクロック周波数と異なるとき、位相同期ループ回路は周波数を適合させる。有利であることに、パイロット周波数は、システム（格子の形状に依存する）において存在する最も高い有効な周波数に等しく選択されるが、光学ユニットのカットオフ周波数より小さいように保たれる。
【００１７】
ガードバンドにおいてクロックデータを記憶することは非常に簡単であり、ビットクロックレートの再生を可能にする効率的な方法である。メタトラックのビット列間のシンボル間干渉は非常に大きく、従来のゼロクロシングクロック再生方法を用いることは非常に複雑な信号処理に繋がる。
【００１８】
非コンテンツ情報がクロックデータに加えて制御データを有するとき、処理手段は、前記クロック補正信号を受信し、そして前記制御データに対応するビットのシーケンスをもたらすために第２回路を更に有する。
【００１９】
非コンテンツ情報が、クロックデータを除外して、制御データを有するとき、処理手段は：
−  少なくともＮ個の前記アナログ信号を受信するため及び少なくともＮ個のディジタル信号を生成するためのアナログ／ディジタル変換器；
−  前記少なくともＮ個のディジタル信号を受信するため及び少なくともＮ個の補正ディジタル信号を生成するためのサンプルレート変換器；
−  検出器回路であって、
ａ）Ｎ個の補正ディジタル信号を受信するため及び基準信号及び前記コンテンツ情報に対応するビットのＮ個のシーケンスをもたらすための手段と、
ｂ）補正ディジタル信号が前記補正データを担持するように前記ガードバンドビット列により少なくとも一部を反射される光スポットに関連付けられる、１つの前記補正ディジタル信号を受信するため及び前記制御データに対応するビットシーケンスをもたらすための手段と、
を有する検出回路と、
を有する検出回路；並びに
−  前記基準信号及び前記Ｎ個の補正ディジタル信号の少なくとも一部を受信するため及び前記サンプルレート変換器を制御するために用いられる時間補正信号を生成するための時間再生回路；
を有する。
【００２０】
ガードバンドにおいてクロックデータがない場合、サンプルレート変換器を制御するように用いられるタイミング情報は従来の方法でコンテンツデータから抽出される。制御データを担持する信号は、同じ回路によりコンテンツ情報を担持する信号と並列に処理される。
【００２１】
ガードバンドにおいて制御データを記憶することは、ある１Ｄ記憶システムにおいて現在用いられているトラックウォブリングに対する関心のある代替である。
【発明を実施するための最良の形態】
【００２２】
図１は記憶媒体１を示している。図２及び図３は、第１及び第２の大きい尺度それぞれにおける記憶媒体の一部２を示している。記憶媒体１は、螺旋線３の３６０°回転の各々を形成するメタトラックＴｉを有するディスクである。図３に示すように、各々のメタトラックＴｉは、２Ｄ最密六方格子が得られる方法で径方向において互いにアライメントされるＮ個の平行なビット列Ｒ１，．．．，ＲＮを有する。格子における物理的六方ビットセルは各々のビットＢｊ（ｊ＝１乃至Ｎ）と関連付けられる。１つのビット列ＲＮ＋１のガードバンドＧｉは螺旋３の隣接する回転ＴｉとＴｉ＋１との間に位置している。メタトラックはコンテンツ情報（例えば、音声データ及び／又は映像データ及び関連付けられるアプリケーションデータ）を担持する。
【００２３】
本発明に従って、非コンテンツ情報を担持する信号は、ディスクのマスタリング処理中、ガードバンドＧｉにおいて記憶される。前記非コンテンツ情報はクロックデータ及び／又は制御データを有する。
【００２４】
トラックは、透明基板（図示せず）を透過して記憶媒体に入射する放射線ビーム４によりスキャンされる。複数の光源が、メタトラックＴｉのＮ個のビット列と隣接するガードバンドＧｉの１ビット列とを加えたものを有するＮ＋１個のビット列を並列にスキャンするために用いられる。例えば、複数の光源は複数のレーザ源と回折格子とを有する。回折格子は少なくともＮ個の光スポットを生成する必要がある。好ましくは、回折格子は少なくともＮ＋１個の光スポットを生成し、Ｎ＋１番目の光スポットは前記ガードバンドビット列を読み出すようになっている。
【００２５】
Ｎ個の光スポットが用いられるとき、Ｎ番目の光スポットは、外側のビット列ＲＮとガードバンドビット列ＲＮ＋１の両者をスキャンするために用いられる。そのような場合、信号はシンボル間干渉により劣化されるが、図５に関連して下で説明するように、性能は尚も許容可能である。好ましくは、より適切な性能が、Ｎ＋１個の光スポットを用いることにより達成される。回折格子が、単一のレーザ源から複数の光スポットを生成するように用いられるとき、このことは従来技術の回折格子のデザインの改善を意味する。回折格子のデザインが改善されるとき、２つ以上の光スポットを追加することは容易である。回折格子がＮ＋２個以上の光スポットを生成する場合、オーバーヘッド光スポットは本発明を実施するためには必要ない。それ故、それらのオーバーヘッド光スポットは省略されている。
【００２６】
図４は、本発明に従った装置の一般的且つ模式的なブロック図である。図４の装置は、単一のレーザ源１１を有する光学ユニット１０と、Ｎ個の光スポットを生成するための回折格子１２とを有する。Ｎ個の反射された光スポットは光学ユニット１０により受けられ、そして光検出器１３により検出される。光検出器１３は、反射された光スポットの１つに各々関連付けられるＮ個のアナログ信号Ａ１，．．．，ＡＮを生成する。Ｎ個のアナログ信号Ａ１，．．．，ＡＮは信号処理ユニット１４に送られる。光検出器１３は又、サーボ制御回路１５に送られる１つ又はそれ以上のサーボ制御信号Ｓｋを生成する。サーボ制御回路１５は光学ユニット１０を制御する。信号処理ユニット１４は、メタトラックにより担持される制御信号に対応するＮ個のビットシーケンスＱ１，．．．，ＱＮを出力し、ガードバンドにより担持される制御データに対応する１つのビットシーケンスＱＮ＋１を任意に出力する。Ｎ個のビットシーケンスビットシーケンスＱ１，．．．，ＱＮは、ユーザにコンテンツをレンダリングするレンダリングユニット１６に送られる。
【００２７】
任意のビットシーケンスＱＮ＋１の宛て先は制御データの性質に依存する。図４においては、ビットシーケンスＱＮ＋１はプロセッサ１８に送られる。制御データの性質に応じて、プロセッサ１８は、ディスク１を回転するようにするレンダリングユニット１６の方に及び／又はモータユニット１９の方に制御信号を発生させることが可能である。例えば、制御データが速度制御データを有するとき、プロセッサ１８はモータユニット１９の方に制御信号を発生させる。制御データがセクタマーク及び／又はアドレス情報を有するとき、プロセッサ１８はレンダリングユニット１６の方に制御信号を発生させる。図４において、矢印２０はユーザへのコンテンツの供給を表している。矢印２２はユーザ入力、例えば、オンスクリーン表示メニューにおける選択肢を表している。矢印２４は、ユーザ入力時にサーボ制御回路１５にレンダリングユニット１６により送られる制御信号を表している。
【００２８】
図４において破線で示されている要素は光学要素である。前記光学要素については、本明細書の下で明らかになるように、一部の実施形態においては省略されている。
【００２９】
図５は、非コンテンツ情報がクロックデータのみを有するときに用いられる処理ユニット１４の第１実施形態を示している。この実施形態においては、Ｎ個のアナログ信号が光学ユニット１０により生成される。ガードバンドを読み出すようになっている付加的な光スポット（それ故、Ｎ＋１個の入力アナログ信号）を有する実施形態は、当業者により図５から容易に導き出されることが可能である。
【００３０】
図５においては、処理ユニット１４はＮ個のアナログ信号Ａ１，．．．，ＡＮを受信する。アナログ／ディジタル変換器３０により生成されるアナログ信号Ａ１，．．．，ＡＮはローカルクロックＣＬと共に動作するアナログ／ディジタル変換器３０に入力される。アナログ／ディジタル変換器３０により生成されるＮ個のディジタル信号Ｄ１，．．．，ＤＮはサンプルレート変換器３２に送られる。Ｎ番目のディジタル信号ＤＮは又、位相同期ループ回路３３に送られる（任意に、バンドパスフィルタリングするためにプレフィルタ３４を通過した後に）。サンプルレート変換器３２は、位相同期ループ回路３３により供給されるクロック補正信号ＣＣにより制御される。サンプルレート変換器３２は、第１判定回路３６に送られるＮ個の位相補正ディジタル信号Ｄ´１，．．．，Ｄ´Ｎを出力する。第１判定回路３６はＮ個のビットシーケンスＱ１，．．．，ＱＮを供給する。例えば、第１判定回路３６は、最尤検出器、好ましくは、ビタビ検出器である。
【００３１】
任意のプレフィルタが、ディジタル信号ＤＮが位相同期ループ回路３３に移動する前に、ディジタル信号ＤＮをクリーニングするために用いられる。クロック信号は周波数空間において非常に適切に定位されるため、不所望の信号の大部分が、位相同期ループ回路３３の上流でバンドパスフィルタを用いることにより除去される。しかしながら、位相同期ループ回路自体、非常に効率的なバンドパスフィルタであり、それ故、位相同期ループ回路の上流でプレフィルタを用いることは不可欠であることに留意する必要がある。
【００３２】
Ｎ個のアナログ信号のみが利用可能であるとき、クロック補正信号を生成するために用いられるディジタル信号ＤＮはシンボル間干渉（隣接ビット列からのデータクロストーク）により劣化される。しかしながら、位相同期ループ回路３３は、隣接ビット列からもたらされる高周波データが遮られるように、固有のバンドパスフィルタリング能力を有する。これは、Ｎ個のアナログ信号のみを用いることにより得られる性能が許容される理由である。
【００３３】
図６は、非コンテンツ情報がクロックデータ及び制御データを有するときに用いられる処理ユニット１４の第２実施形態を示している。この実施例においては、Ｎ＋１個のアナログ信号が光学ユニット１０により生成され、それらのアナログ信号の１つ（ＡＮ＋１）はガードバンドを読み出すようになっている。Ｎ個の光スポットのみを有する実施形態は、当業者により図６から容易に導き出される。
【００３４】
図６においては、追加のアナログ信号ＡＮ＋１がアナログ／ディジタル変換器３０に入力され、アナログ／ディジタル変換器３０はこの追加のアナログ信号ＡＮ＋１から追加のディジタル信号ＤＮ＋１を生成する。そのディジタル信号ＤＮ＋１はプレフィルタ３４に入力され、そして位相同期ループ回路３３に送られる。位相同期ループ回路３２により生成されるクロック補正信号は第２検出回路３９に送られる。第２判定回路３９は、ガードバンドにより担持されている制御データに対応するビットシーケンスＱＮ＋１を出力する。
【００３５】
判定回路３９の性質は、ガードバンドにおいてクロックデータを変調するように用いられる変調の種類に依存する。例えば、クロックデータが制御データを用いて振幅変調される場合、第２判定回路３９は、制御データを再生するように、クロック補正信号ＣＣの振幅をモニタリングするようにデザインされている。クロックデータが制御データを用いて振幅変調される場合、第２判定回路３９は、制御データを再生するように、クロック補正信号ＣＣの位相をモニタリングするようにデザインされている。それらの実施例は制限的なものではない。他のスキームを又、用いることが可能である。
【００３６】
図７は、非コンテンツ情報が制御データのみを有するときに用いられる処理ユニット１４の第３実施形態を示している。この実施例においては、Ｎ＋１個のアナログ信号が光学ユニット１０により生成される。Ｎ個のアナログ信号のみを用いる実施形態は、ビットシーケンスＱＮ＋１がアナログ信号ＡＮからもたらされる場合、当業者により図７から容易に導き出されることが可能である。
【００３７】
図７においては、位相補正ディジタル信号Ｄ´１乃至Ｄ´Ｎ＋１が判定回路４８に入力される。判定回路４８は判定回路３６と同じタイプである。判定回路４８はビットシーケンスＱ１乃至ＱＮ＋１を生成する。判定回路４８は又、チャネルの理想的な応答（判定回路は特定の理想的な応答を仮定する）を表す基準信号ＣＲを生成する。この基準信号は、ビットシーケンスＱ１，．．．，ＱＮ＋１の少なくとも１つから及び仮定されたチャネルの理想的な応答からもたらされる。基準信号ＣＲは時間再生回路５０に入力される。時間再生回路５０は又、基準信号ＣＲを導き出すために用いられるビットシーケンスＱ１，．．．，ＱＮと関連付けられる補正ディジタル信号Ｄ´１，．．．，Ｄ´Ｎの信号を有する実際の信号ＣＭを受信する。時間再生回路５０はエラー信号（基準信号と実際の信号との間の差に等しい）をもたらし、エラー信号を最小化する（これは、文献“Ｄｉｇｉｔａｌ  Ｂａｓｅｂａｎｄ  Ｔｒａｎｓｍｉｓｓｉｏｎ  ａｎｄ  Ｒｅｃｏｒｄｉｎｇ”，ｂｙ  Ｊａｎ  Ｗ．Ｍ．Ｂｅｒｇｍａｎｓ，Ｋｌｕｗｅｒ  Ａｃａｍｅｄｉ  Ｐｕｂｌｉｓｈｅｒｓ，１９９６の１０．６及び１０．７章に記載されているゼロフォーシングループ又はＭＭＳＥループにより行われる）時間補正信号ＣＣを生成する。
【００３８】
図４、５、６及び７の模式図のみが、本発明の完全な理解のために必要な要素を示している。それらの図に示されていない他の要素は、実際には、適切な動作のために必要である。例えば、信号処理経路においては、通常、上記の要素に加えて、等化器、ゲイン及びＤＣ補償ループ、アンチエイリアジングフィルタ等を有する。
【００３９】
上記の記憶媒体及び装置に関して、本発明の範囲から逸脱することなく、修正又は改善を与えることが可能である。本発明は、それ故、上記の実施例に限定されるものではない。
【００４０】
特に、本発明は、回折格子と関連付けられる単一のレーザ源を用いることに限定されない。他の種類の複数のレーザ源、例えば、レーザアレイ、光ファイバ構成等を用いることが可能である。
【００４１】
表現“を有する”及びその表現の派生の表現を本明細書及び特許請求の範囲において用いることによっては、列挙されている手段及び段階以外の手段及び段階を排除するものではない。
【００４２】
要素の単数表現は、それらの要素の複数の存在を排除するものではない。
【図面の簡単な説明】
【００４３】
【図１】本発明に従った記憶媒体の模式図である。
【図２】図１の記憶媒体の一部の詳細を示す図である。
【図３】図１の記憶媒体の一部の詳細を示す図である。
【図４】図１乃至３に関連して説明する種類の記憶媒体を読み出すための本発明に従った装置の一般的な図である。
【図５】図４の装置の実施形態の第１実施例である。
【図６】図４の装置の実施形態の第２実施例である。
【図７】図４の装置の実施形態の第３実施例である。
【図１】
2007515032.tif 000003
【図２】
2007515032.tif 000004
【図３】
2007515032.tif 000005
【図４】
2007515032.tif 000006
【図５】
2007515032.tif 000007
【図６】
2007515032.tif 000008
【図７】
2007515032.tif 000009
【国際調査報告】
2007515032.tif 000010
2007515032.tif 000011
2007515032.tif 000012